(57)【特許請求の範囲】
【請求項１】
レンズ装置に設けられたレンズ側マウント部が嵌合して装着されるカメラ側マウント部と、バヨネットリングとを備えたカメラにおいて、
前記レンズ側マウント部を前記カメラ側マウント部に装着される位置に保持するとともに、該レンズ側マウント部に対して押し付け部材を嵌合径方向から押し付けて前記レンズ側マウント部を前記カメラ側マウント部に対して前記嵌合径方向にて圧接させる押圧状態と、この押圧状態を解除する解除状態とで切り換えるために、操作される操作部材を備え、
該操作部材が押圧状態である場合には、前記バヨネットリングが、前記レンズ側マウント部が光軸方向に抜けないような第１の位置に位置しており、
該操作部材が解除状態である場合には、前記バヨネットリングが、前記レンズ側マウント部が光軸方向に開放され前記レンズ装置が前記カメラから取り外しできるような第２の位置に位置しており、
前記操作部材を前記解除状態から前記押圧状態に切り換える際の前記操作部材の回転操作に連動して、前記バヨネットリングが前記第２の位置から前記第１の位置に移動すると共に、前記押し付け部に固定されたガイド板に形成されているカム溝に沿って前記操作部材に設けられたピンが移動することで前記押し付け部材を前記光軸中心に向かってスライドさせることにより、前記押し付け部材を前記レンズ側マウント部に圧接する、
ことを特徴とするカメラ。
【請求項２】
前記押圧機構が、前記押圧状態における前記押し付け部材の前記レンズ側マウント部に対する押し付け力が、押圧完了状態よりも前記解除状態側にて最大となるように構成されていることを特徴とする請求項１に記載のカメラ。
【請求項３】
前記カメラ側マウント部に、前記レンズ側マウント部に設けられた回転止めピンが挿入されて前記カメラ側マウント部と前記レンズ側マウント部との相対回転を止めるための回転止め開口部が形成されており、
前記回転止め開口部に前記回転止めピンが挿入された状態で、該回転止め開口部内での前記回転止めピンの前記相対回転方向への変位を抑制する回転変位抑制手段を有することを特徴とする請求項１又は２に記載のカメラ。
【請求項４】
前記回転変位抑制手段が、前記回転止め開口部に挿入された前記回転止めピンを前記相対回転方向において弾性的に保持する弾性保持部材を有して構成されていることを特徴とする請求項３に記載のカメラ。
【請求項５】
前記カメラ側マウント部に、前記レンズ側マウント部に設けられた回転止め開口部に光軸方向から挿入して前記カメラ側マウント部と前記レンズ側マウント部との相対回転を止めるための回転止めピンが設けられており、
前記回転止めピンを前記回転止め開口部に挿入した状態で、該回転止めピンの前記回転止め開口部内での前記相対回転方向への変位を抑制する回転変位抑制手段を有することを特徴とする請求項１又は２に記載のカメラ。
【発明の詳細な説明】
【０００１】
【発明の属する技術分野】
本発明は、レンズ装置を高精度に位置決め接続するためマウント構造を有するカメラおよびカメラに対して高精度に位置決め接続するためのマウント構造を有するレンズ装置に関するものである。
【０００２】
【従来の技術】
放送用撮影などを行うカメラと撮影レンズは、バヨネットマウントと呼ばれる接続機構を用いて精度よく接続されるようになっており、撮影対象の条件に合わせてカメラに接続する撮影レンズを選択することができるような構成としているのが一般的である。
【０００３】
また、バヨネットマウントは、径方向嵌合によってカメラと撮影レンズとのラジアル方向位置決めを行うとともに、撮影レンズ側の雄マウントのフランジ部をねじ付きリング（バヨネットリング）で挟み込み、その摩擦力によってカメラと撮影レンズとのスラスト方向位置決めおよび固定を行う。
【０００４】
さらに、回転方向の位置決め（回転止め）は、撮影レンズ側の雄マウントのフランジ部に回転止めピンを設け、テレビカメラ側の雌マウントに形成されたピンガイド（受け）に上記回転止めピンを挿入することで行っている。
【０００５】
このようなバヨネットマウント機構に関しては、特開平８−２９７３１６号公報に記載のバヨネットマウントのロック機構を始めとして、様々なものが提案されている。
【０００６】
ここで、図１８および図１９には、従来のカメラに設けられたバヨネットマウント構造を示している。同図において、１０４はカメラ、１０５はバヨネットリング、１０６はマウントレバー、１０７は雌マウント、１１６はロックレバー、１１７は圧縮コイルばね、１１８は支持板である。
【０００７】
このバヨネットマウント構造において、不図示の撮影レンズの雄マウントを雌マウント１０７内に嵌合挿入し、マウントレバー１０６を図中時計回り方向に約６０度回転させると、撮影レンズがカメラ１０４に装着された状態となる。
【０００８】
このとき、ロックレバー１１６を反時計回り方向に倒しておくと、ばね１１７の力によってロックレバー１１６とマウントレバー１０６とを介してマウントリング１０５を常に締め付け状態を保つことができる。
【０００９】
【発明が解決しようとする課題】
しかしながら、上記従来のマウント構造は、バヨネットリングの緩みによる撮影レンズの落下を防止するためなどには有効であるが、マウントの嵌合がたや、回転止めピンのピンガイドに対する嵌合がたを抑制することができないという欠点がある。
【００１０】
特に、肩担ぎ用のＴＶカメラと撮影ズームレンズとを組み合わせて使用する場合においては、ＴＶカメラを右肩に乗せるとともに、撮影レンズに装着されたズーミング操作等を行うためのドライブユニットを右手で支えて全体のバランスをとることが一般的であるため、右手でマウントの嵌合がたや回転止めピンの嵌合がたを感じることがある。
【００１１】
このがた自体は、撮影システムの性能に直接影響するものではないが、撮影者に違和感や不安感を与えるおそれがある。
【００１２】
【課題を解決するための手段】
上記の課題を解決するために、本願第１の発明では、レンズ装置に設けられたレンズ側マウント部が嵌合して装着されるカメラ側マウント部と、バヨネットリングとを備えたカメラにおいて、レンズ側マウント部をカメラ側マウント部に装着される位置に保持するとともに、該レンズ側マウント部に対して押し付け部材を嵌合径方向から押し付けてレンズ側マウント部をカメラ側マウント部に対して嵌合径方向にて圧接させる押圧状態と、この押圧状態を解除する解除状態とで切り換えるために、操作される操作部材を備え、該操作部材が押圧状態である場合には、前記バヨネットリングが、レンズ側マウント部が光軸方向に抜けないような第１の位置に位置しており、該操作部材が解除状態である場合には、バヨネットリングが、レンズ側マウント部が光軸方向に開放されレンズ装置がカメラから取り外しできるような第２の位置に位置しており、操作部材を解除状態から押圧状態に切り換える際の操作部材の回転操作に連動して、バヨネットリングが第２の位置から第１の位置に移動すると共に、押し付け部に固定されたガイド板に形成されているカム溝に沿って操作部材に設けられたピンが移動することで押し付け部材を光軸中心に向かってスライドさせることにより、押し付け部材をレンズ側マウント部に圧接する。
【００１３】
これにより、カメラ側マウント部に対するレンズ側マウント部の嵌合がたを確実に抑制することができ、撮影者に違和感や不安感を与えるおそれを回避することが可能となる。
【００１４】
なお、押圧機構を、押圧状態における押し付け部材のレンズ側マウント部に対する押し付け力が、押圧完了状態よりも解除状態側にて最大となるように構成することにより、レンズ側マウント部に押し付けられている押し付け部材の緩みを防止することが可能となる。
【００２１】
このような回転変位抑制手段により、回転止めピンの回転止め開口部内での嵌合がたを確実に抑制することができ、撮影者に違和感や不安感を与えるおそれを回避することが可能となる。
【００２７】
【発明の実施の形態】
（第１実施形態）
図１から図３には、本発明の第１実施形態であるテレビカメラおよび撮影ズームレンズ（レンズ装置）とから構成される撮影システムを示している。これら図において、１は撮影ズームレンズであり、４はテレビカメラである。また、５はカメラ４に設けられたマウント部（カメラ側マウント部）を構成するバヨネットリングである。
【００２８】
２は撮影レンズ１側の雄マウント（レンズ側マウント部）、３は雄マウント部２の光軸方向後端面に設けられた回転止めピンである。
【００２９】
さらに、６はバヨネットリング５の外周に設けられたマウントレバー、６ａはマウントレバー６の基端部に設けられたスライドピンである。なお、バヨネットリング５およびマウントレバー６により請求の範囲にいう「操作部材」が構成される。
【００３０】
７はカメラ４側の雌マウントである。また、図４（撮影レンズ１を像側から物体側に向かって見た図）に示す９は撮影レンズ１に装着されるドライブユニットであり、撮影レンズ１のズーミング操作等を行うための操作スイッチが設けられている。
【００３１】
図５および図６には、カメラ４に設けられたマウント部を像側から物体側に向かって見た場合における撮影レンズ１の非装着状態と装着状態での様子を示している。
【００３２】
８は雌マウント７の上部前端に取り付けられたピンガイドであり、このピンガイド８には、上記回転止めピン３の光軸方向からの挿入が可能な開口部（回転止め開口部）８ａが形成されている。
【００３３】
また、図７および図８には、カメラ４に設けられた雌マウント７を物体側から像側に向かって見た場合における撮影レンズ１の非装着状態と装着状態での様子を示している。
【００３４】
１０は雌マウント７の前面に取り付けられた略円弧形状のガイド板であり、このガイド板（カム部材）１０には、スライドピン６ａに係合するカム溝１０ａが形成されている。また、ガイド板１０の円弧方向両端には、雌マウント７に設けられたピン１２ａ，１２ｂに係合する長穴が形成されている。ピン１２ａ，１２ｂを上記長穴内を貫通させて、ピン１２ａ，１２ｂに抜け止め用のＥ型止め輪１３ａ，１３ｂを取り付けることによって、ガイド板１０はマウント部の径方向（光軸直交方向）にスライド可能に雌マウント７に取り付けられる。
【００３５】
１１は押し付け板（押し付け部材）であり、ガイド板１０に接着などで固定されている。
【００３６】
なお、マウントレバー６（バヨネットリング５）、ガイド板１０および押し付け板１１により請求の範囲にいう「押圧機構」が構成される。
【００３７】
このように構成されたカメラ４側のマウント部と撮影レンズ１の雄マウント２とは、図２および図３に示すように、Ｃ面を合わせ面として機械的にマウント結合される。なお、Ｃ面を接合する際には、図５に示すように、バヨネットリング５は、撮影レンズ１の雄マウント２をバヨネットリング５と雌マウント７との間の空間内に挿入可能な回転位置にある。また、この際、雄マウント２上の回転止めピン３は、ピンガイド８の開口部８ａに挿入される。
【００３８】
こうしてカメラ４と撮影レンズ１のＣ面が接合された後、図３，図６および図８に示すように、マウントレバー６およびバヨネットリング５を雌マウント７に対して下方に約６０°回転操作すると、バヨネットリング５はこのバヨネットリング５と雌マウント７との間の空間に挿入された雄マウント２を光軸方向前方に抜けないように（すなわち、雌マウント７に装着される位置に）保持する位置に回転する。
【００３９】
また、このバヨネットリング５の回転に連動するかたちで、マウントレバー６に設けられたスライドピン６ａとガイド板１０に形成されたカム溝１０ａとのカム作用によって、ガイド板１０および押し付け板１１が光軸中心に向かって（嵌合径方向内側に）スライドする。
【００４０】
そして、スライドした押し付け板１１は、撮影レンズ１の雄マウント２を同方向に押し、この雄マウント２の外周面を雌マウント７の内周面に圧接させる。言い換えれば、押し付け板１１と雌マウント７とにより、雄マウント２を挟み込むかたちとなる。これにより、雄マウント２と雌マウント７との間の嵌合がたを確実に抑制することができる。
【００４１】
なお、マウントレバー６およびバヨネットリング５を雌マウント７に対して上方に約６０°回転操作すれば、図２および図５に示す状態に戻り、押し付け板１１による撮影レンズ１の雄マウント２の押し付け状態が解除されるとともに、バヨネットリング５が雄マウント２を光軸方向前方に開放する位置に回転するので、撮影レンズ１をカメラ４から取り外すことができる。
【００４２】
ところで、本実施形態では、撮影レンズ１に設けた回転止めピン（本実施形態では、請求の範囲にいう回転変位抑制手段）３を図９および図１０に示すように作っている。すなわち、底付き円筒形状に形成した回転止めピン３におけるピンガイド８の開口部８ａとの嵌合部分（円筒周面部分）には割りが入れられており、さらにこの嵌合部分をピンガイド８の開口部８ａの寸法よりも若干大きく作っている。
【００４３】
これにより、回転止めピン３をピンガイド８の開口部８ａに嵌合させると、回転止めピン３の嵌合部分が弾性変形を起こし、この弾性力によって回転止めピン３とピンガイド８との嵌合がたが抑制される。したがって、カメラ４に対するレンズ装置１の光軸回りでの回転がたが抑制される。
【００４４】
（第２実施形態）
図１１および図１２には、本発明の第２実施形態である撮影システムにおける回転止めピンとピンガイドとの嵌合構造を示している。なお、本実施形態において、第１実施形態と共通する構成要素には、第１実施形態と同符号を付している。
【００４５】
本実施形態では、カメラ１の雌マウント７に設けられたピンガイド８に、開口部の両側から開口部内に延びる板ばね（回転変位抑制手段）２４を設ける一方、撮影レンズ１に設けられた回転止めピン２３を従来と同様に単なる円柱形状に作っている。
【００４６】
そして、ピンガイド８の開口部に回転止めピン２３を挿入すると、上記板ばね２４が弾性変形しながら回転止めピン２３を挟み込み保持する。これにより、回転止めピン２３とピンガイド８との嵌合がたが抑制される。
【００４７】
（第３実施形態）
図１３および図１４には、本発明の第３実施形態である撮影システムにおける回転止めピンとピンガイドとの嵌合構造を示している。なお、本実施形態において、第１実施形態と共通する構成要素には、第１実施形態と同符号を付している。
【００４８】
本実施形態では、カメラ１の雌マウント７に設けられたピンガイド３８の開口部の形状を、撮影レンズ１に設けられた回転止めピン３３の挿入方向に向かって幅狭となるテーパー形状とするとともに、回転止めピン３３も、ピンガイド３８の開口部のテーパー形状内面に沿うテーパー形状に形成する。
【００４９】
さらに、撮影レンズ１に設けられた雄マウント３２内に、回転止めピン３３を突出方向（ピンガイド３８の開口部への挿入方向）に付勢する圧縮コイルばね３５を設けている。
【００５０】
なお、本実施形態では、ピンガイド３８，回転止めピン３３および圧縮コイルばね３５により請求の範囲にいう回転変位抑制手段が構成される。
【００５１】
ピンガイド３８の開口部に回転止めピン３３を挿入すると、上記コイルばね３５の付勢力によって回転止めピン３３のテーパー外面が２４がピンガイド３８の開口部のテーパー内面に圧接される。これにより、回転止めピン３３とピンガイド３８との嵌合がたが抑制される。
【００５２】
（第４実施形態）
図１５から図１７には、本発明の第４実施形態である撮影システムにおけるカメラ１側のマウント部の構成を示している。なお、本実施形態において、第１実施形態と共通する構成要素には、第１実施形態と同符号を付している。
【００５３】
第１実施形態では、ガイド板１０のカム溝１０ａを、マウントレバー６の下方向操作に応じて押し付け板１１の雄マウント２に対する押し付け力がスムーズに増加し、マウントレバー６の操作完了時に上記押し付け力が最大になる形状に形成したが、本実施形態では、ガイド板４０のカム溝４０ａを、マウントレバー６の下方向操作を開始した（図１５におけるｄ）後、上記押し付け力（トルク）が一旦（すなわち、マウントレバー６の操作完了前に：図１６におけるｅ）最大となり、その後、マウントレバー６の操作完了時点（図１７におけるｆ）で上記押し付け力が、両マウント２，７の嵌合がたを抑制するために必要かつ十分な大きさまで減少する形状に形成されている。
【００５４】
このように構成することにより、図１６のｅにて得られる最大押し付け力（ないしカム溝形状）が、図１７のｆにて得られる嵌合がた抑制のための押し付け力に対していわゆるクリックの役割を果たすため、押し付け板１１による雄マウント２に対する押し付け状態の緩みを防止することができる。
【００５５】
なお、上記各実施形態では、撮影レンズ側に雄マウントを設け、カメラ側に雌マウントを設けた場合について説明したが、撮影レンズ側に雌マウントを設け、カメラ側に雄マウントを設けてもよい。そしてこの場合、上記各実施形態にて説明したのと同様の押圧機構が撮影レンズ側に、回転止めピンがカメラ側に設けられる。
【００５６】
つまり、撮影レンズ側に、レンズ側マウント部に装着されたカメラ側マウント部に対して押し付け部材を嵌合径方向から押し付けてカメラ側マウント部をレンズ側マウント部に対して嵌合径方向にて圧接させる（押圧状態となる）ことが可能な押圧機構を設け、これにより、レンズ側マウント部に対するカメラ側マウント部の嵌合がたを確実に抑制することができ、撮影者に違和感や不安感を与えるおそれを回避する。
【００５７】
また、押圧機構を、押圧状態における押し付け部材のカメラ側マウント部に対する押し付け力が、押圧完了状態よりも解除状態側にて最大となるように構成して、カメラ側マウント部に押し付けられている押し付け部材の緩み（つまりは、嵌合がたの発生）を防止する。
【００５８】
また、押圧機構を、この押圧機構を押圧状態と解除状態とに切り換え操作するための操作部材と、この操作部材の操作に応じて押し付け部材を押圧状態に対応する位置と解除状態に対応する位置との間でカム駆動するカム部材とを有する構成として、簡単な機構および簡単な操作で上記嵌合がたを抑制することができるようにする。
【００５９】
さらに、レンズ側マウント部にバヨネットリングが設けられている場合に、押圧機構をこのバヨネットリングの回転に連動して動作するようにして、バヨネットリングによるレンズ装置−カメラ間の装着保持を行うのと同時に押圧機構による上記嵌合がた抑制を行うことができ、レンズ装置の装着（着脱）容易性を確保する。
【００６０】
さらに、カメラ側に設けた回転止めピンをレンズ側に設けた回転止め開口部に挿入した状態で、この回転止めピンの回転止め開口部内での相対回転方向への変位を抑制するようにして、回転止めピンの回転止め開口部内での嵌合がた（つまりは、カメラと撮影レンズとの相対回転）を確実に抑制して、撮影者に違和感や不安感を与えるおそれを回避する。
【００６１】
【発明の効果】
以上説明したように本願第１の発明によれば、カメラ側マウント部に装着されたレンズ側マウント部に対して押し付け部材を嵌合径方向から押し付けてレンズ側マウント部をカメラ側マウント部に対して嵌合径方向にて圧接させる（押圧状態となる）ことが可能な押圧機構を設けているので、カメラ側マウント部に対するレンズ側マウント部の嵌合がたを確実に抑制することができ、撮影者に違和感や不安感を与えるおそれを回避することができる。
【００６２】
なお、押圧機構は、押圧状態を解除することができるので、レンズ装置のカメラからの取り外しも容易に行える。
【００６３】
また、押圧機構を、押圧状態における押し付け部材のレンズ側マウント部に対する押し付け力が、押圧完了状態よりも解除状態側にて最大となるように構成れば、レンズ側マウント部に押し付けられている押し付け部材の緩み（つまりは、嵌合がたの発生）を防止することができる。
【００６４】
また、押圧機構を、この押圧機構を押圧状態と解除状態とに切り換え操作するための操作部材と、この操作部材の操作に応じて押し付け部材を押圧状態に対応する位置と解除状態に対応する位置との間でカム駆動するカム部材とを有する構成とすれば、簡単な機構および簡単な操作で上記嵌合がたを抑制することができる。
【００６５】
さらに、カメラ側マウント部にバヨネットリングが設けられている場合に、押圧機構をこのバヨネットリングの回転に連動して動作するようにすれば、バヨネットリングによるレンズ装置の装着保持を行うのと同時に押圧機構による上記嵌合がた抑制を行うことができ、レンズ装置の装着（着脱）容易性を確保することができる。
【００６６】
また、本願第２の発明および第３の発明によれば、回転止めピンが回転止め開口部に挿入された状態で、この回転止めピンの回転止め開口部内での相対回転方向への変位を抑制することができるので、回転止めピンの回転止め開口部内での嵌合がた（つまりは、カメラに対する撮影レンズの相対回転）を確実に抑制することができ、撮影者に違和感や不安感を与えるおそれを回避することができる。
【００６７】
また、本願第４の発明によれば、カメラに設けられたカメラ側マウント部に嵌合装着されるレンズ側マウント部を備えたレンズ装置において、レンズ側マウント部に装着されたカメラ側マウント部に対して押し付け部材を嵌合径方向から押し付けてカメラ側マウント部をレンズ側マウント部に対して嵌合径方向にて圧接させる押圧状態と、この押圧状態を解除する解除状態とに動作可能な押圧機構を設けている。
【００６８】
これにより、レンズ側マウント部に対するカメラ側マウント部の嵌合がたを確実に抑制することができ、撮影者に違和感や不安感を与えるおそれを回避することが可能となる。
【００６９】
また、本願第４の発明によれば、レンズ側マウント部が装着されたカメラ側マウント部に対して押し付け部材を嵌合径方向から押し付けてカメラ側マウント部をレンズ側マウント部に対して嵌合径方向にて圧接させる（押圧状態となる）ことが可能な押圧機構を設けているので、レンズ側マウント部に対するカメラ側マウント部の嵌合がたを確実に抑制することができ、撮影者に違和感や不安感を与えるおそれを回避することができる。
【００７０】
また、本願第５および第６の発明によれば、回転止めピンの回転止め開口部内での嵌合がたを確実に抑制することができ、撮影者に違和感や不安感を与えるおそれを回避することができる。
【図面の簡単な説明】
【図１】本発明の第１実施形態である撮影システムの側面図。
【図２】上記撮影システムを構成する撮影レンズをカメラから外した状態でのバヨネットマウントの詳細図。
【図３】上記撮影レンズをカメラに装着した状態でのバヨネットマウントの詳細図。
【図４】上記撮影レンズをカメラ側（光軸方向後方）から見た図で、図２のａ視図。
【図５】上記カメラを撮影レンズ側（光軸方向前方）から見た図で、撮影レンズの着脱が可能な状態を示す、図２のｂ視図。
【図６】上記カメラを撮影レンズ側（光軸方向前方）から見た図で、撮影レンズの装着状態を示す、図２のｂ視図。
【図７】上記バヨネットマウントを構成する雌マウントの図（図３のＸ−Ｘ断面図）。で、撮影レンズの着脱可能状態を示す図。
【図８】上記バヨネットマウントを構成する雌マウントの図（図３のＸ−Ｘ断面図）。で、撮影レンズの装着状態を示す図。
【図９】上記バヨネットマウントにおける回転止めピンとピンガイドとの関係（撮影レンズ装着前の関係）を示す図。
【図１０】上記バヨネットマウントにおける回転止めピンとピンガイドとの関係（撮影レンズ装着時の関係）を示す図で、図６のＹ−Ｙ断面図。
【図１１】本発明の第２実施形態である撮影システムにおける回転止めピンとピンガイドとの関係（撮影レンズ装着前の関係）を示す図。
【図１２】上記第２実施形態の回転止めピンとピンガイドとの関係（撮影レンズ装着時の関係）を示す図。
【図１３】本発明の第３実施形態である撮影システムにおける回転止めピンとピンガイドとの関係（撮影レンズ装着前の関係）を示す図。
【図１４】上記第３実施形態の回転止めピンとピンガイドとの関係（撮影レンズ装着時の関係）を示す図。
【図１５】本発明の第４実施形態である撮影システムにおけるカメラ側の雌マウントの構成（撮影レンズの着脱可能状態）および押し付け板の押し付け力の変化を示す図。
【図１６】上記第４実施形態である撮影システムにおけるカメラ側の雌マウントの構成（撮影レンズの装着途中状態）および押し付け板の押し付け力の変化を示す図。
【図１７】上記第４実施形態である撮影システムにおけるカメラ側の雌マウントの構成（撮影レンズの装着完了状態）および押し付け板の押し付け力の変化を示す図。
【図１８】従来のバヨネットマウント構造を示す正面図。
【図１９】従来のバヨネットマウント構造を示す側面図。
【符号の説明】
１  撮影レンズ
２  （レンズ側）雄マウント
３，２３，３３  回転止めピン
４  カメラ
５  バヨネットリング
６  マウントレバー
７  （カメラ側）雌マウント
８  ピンガイド
９  ドライブユニット
１０，４０  ガイド板
１０ａ，４０ａ  カム溝
１１  押し付け板
１２ａ，１２ｂ  ピン
１３ａ，１３ｂ  Ｅ型止め輪
２４  板ばね
３５  圧縮コイルぱね
１６  ロックレバー
【図１】
0004574003.tif 000002
【図２】
0004574003.tif 000003
【図３】
0004574003.tif 000004
【図４】
0004574003.tif 000005
【図５】
0004574003.tif 000006
【図６】
0004574003.tif 000007
【図７】
0004574003.tif 000008
【図８】
0004574003.tif 000009
【図９】
0004574003.tif 000010
【図１０】
0004574003.tif 000011
【図１１】
0004574003.tif 000012
【図１２】
0004574003.tif 000013
【図１３】
0004574003.tif 000014
【図１４】
0004574003.tif 000015
【図１５】
0004574003.tif 000016
【図１６】
0004574003.tif 000017
【図１７】
0004574003.tif 000018
【図１８】
0004574003.tif 000019
【図１９】
0004574003.tif 000020